(57)【特許請求の範囲】
【請求項１】
パトカーに設置された車載カメラシステムと接続可能であり、録画機能を有し、警察官の身体に装着可能なウェアラブルカメラであって、
前記ウェアラブルカメラが該ウェアラブルカメラとリンクされる前記車載カメラシステムから所定の距離以上離間したことを検出する離間検出部と、
前記離間検出部の検出出力に応じて録画動作を開始させる録画開始制御部と、
前記ウェアラブルカメラを装着している前記警察官の操作により、前記録画動作を停止させる録画停止部と、を備えた、
ウェアラブルカメラ。
【請求項２】
請求項１に記載のウェアラブルカメラであって、
前記録画停止部は、前記録画動作を一時停止させ、その後、前記所定の距離以上離間したことが検出されると、前記録画動作の一時停止を解除して再度録画動作を開始させる、
ウェアラブルカメラ。
【請求項３】
請求項１に記載のウェアラブルカメラであって、
前記離間検出部は、
前記ウェアラブルカメラと前記車載カメラシステムとの間の通信が途絶えたことに基づいて、前記ウェアラブルカメラが前記車載カメラシステムから前記所定の距離以上離間したことを検出する、
ウェアラブルカメラ。
【請求項４】
請求項１に記載のウェアラブルカメラであって、
前記離間検出部は、
前記車載カメラシステムから送信され前記ウェアラブルカメラで受信される電波の電界強度が所定の電界強度を下回ったことに基づいて、前記ウェアラブルカメラが前記車載カメラシステムから前記所定の距離以上離間したことを検出する、
ウェアラブルカメラ。
【請求項５】
請求項１に記載のウェアラブルカメラであって、
前記離間検出部は、
ＧＰＳ（Global Positioning System）による前記ウェアラブルカメラの位置情報及び前記車載カメラシステムの位置情報に基づいて、前記ウェアラブルカメラが前記車載カメラシステムから前記所定の距離以上離間したことを検出する、
ウェアラブルカメラ。
【発明の詳細な説明】
【技術分野】
【０００１】
本発明は、携帯可能であり録画を行うことができるウェアラブルカメラに関する。
【背景技術】
【０００２】
近年、警察官や警備員の業務を支援するために、ウェアラブルカメラの導入が検討されている。
従来、ウェアラブルカメラを用いた認証システムが開発されており、例えば特許文献１に記載されたものがある。特許文献１に記載された認証システムは、カメラ付き懐中電灯である携帯端末と、該携帯端末の充電機能を有するクレードルと、該クレードルに接続されたパーソナルコンピュータを有し、当該システムが警備に用いられる場合、巡回パトロールを始めようとする警備員（ユーザ）が、まず個人認証情報の入力を含む認証作業を実施した後、携帯端末をクレードルから抜き取る。この抜き取りに応答して、該携帯端末にて録画が開始され、パーソナルコンピュータに接続された外部機器に対してパーソナルコンピュータから認証結果データを含む警備開始通知メールが送信される。警備員は、巡回を終えて携帯端末をクレードルに戻すと、警備終了通知メールが外部機器に送信される。その後、携帯端末における録画は終了されて、撮像データはパーソナルコンピュータ内の主記録媒体に転送される。
【先行技術文献】
【特許文献】
【０００３】
【特許文献１】特開２０１４−１４６１８４号公報
【発明の概要】
【発明が解決しようとする課題】
【０００４】
ところで、上述した特許文献１に記載された認証システムにおいては、携帯端末であるカメラをクレードルから引き抜いたときに録画を開始するようにしているが、使用状況によりクレードルから引き抜いた直後に録画する必要が無い場合がある。そのため、ユーザが任意に録画するようにすると、必要なときに録画できない恐れがあるが、常時録画を行うようにすると無駄な録画が行われるとともに、携帯端末の記憶容量および内蔵バッテリの電力を無駄にしてしまうという課題がある。
【０００５】
本発明は、係る事情に鑑みてなされたものであり、必要なときにのみ録画が可能なウェアラブルカメラを提供することを目的とする。
【課題を解決するための手段】
【０００６】
本発明のウェアラブルカメラは、パトカーに設置された車載カメラシステムと接続可能であり、録画機能を有し、警察官の身体に装着可能なウェアラブルカメラであって、前記ウェアラブルカメラが該ウェアラブルカメラとリンクされる前記車載カメラシステムから所定の距離以上離間したことを検出する離間検出部と、前記離間検出部の検出出力に応じて録画動作を開始させる録画開始制御部と、前記ウェアラブルカメラを装着している前記警察官の操作により、前記録画動作を停止させる録画停止部と、を備えた。
【発明の効果】
【０００７】
本発明によれば、必要なときにのみ録画が可能となる。例えば、録画もれを防止することができる。
【図面の簡単な説明】
【０００８】
【図１】本発明の実施の形態１に係るウェアラブルカメラを用いたカメラシステムの概要を示す図
【図２】図１に示すウェアラブルカメラをユーザの胸元に装着した例を示す図
【図３】図１に示す車載カメラシステムおよび車載カメラシステム操作用ＰＣの概略構成を示すブロック図
【図４】図１に示すウェアラブルカメラの概略構成を示すブロック図
【図５】図１に示すウェアラブルカメラの動作を説明するためのフロー図
【図６】本発明の実施の形態２に係るウェアラブルカメラの動作を説明するためのフロー図
【発明を実施するための形態】
【０００９】
以下、本発明を実施するための好適な実施の形態について、図面を参照して詳細に説明する。
【００１０】
（実施の形態１）
図１は、本発明の実施の形態１に係るウェアラブルカメラ（ＷＣＡＭ：Wearable CAMera）１を用いたカメラシステム２００の概要を示す図である。同図に示すカメラシステム２００は、警察での使用を想定したものであり、ユーザ（本実施の形態では警察官）が所持するウェアラブルカメラ１と、パトカー２２０内に設置される車載カメラシステム２と、パトカー２２０内に設置される車載カメラシステム操作用ＰＣ（ＰＣ：パーソナルコンピュータ、以下“ＰＣ”と言う）３とを備える。ユーザは、事件現場に向かう際にウェアラブルカメラ１を所持する。図２は、ウェアラブルカメラ１をユーザの胸元に装着した例を示す図である。なお、車載カメラシステム２が車載装置であってもよいし、車載カメラシステム２とＰＣ３で車載装置を構成してもよい。
【００１１】
図３は、車載カメラシステム２およびＰＣ３の概略構成を示すブロック図である。同図において、車載カメラシステム２は、車載ビデオレコーダ２１と、ビデオカメラ２２と、通信部２３とを備える。ＰＣ３は、ＣＰＵ（Central Processing Unit）３１と、Ｉ／Ｏ制御部３２と、通信部３３と、メモリ３４と、入力部３５と、表示部３６と、スピーカ３７とを備える。ＰＣ３は、車載ビデオレコーダ２１と通信可能となっており、車載カメラシステム２は、ウェアラブルカメラ１と通信可能となっている。
【００１２】
ＰＣ３において、ＣＰＵ３１は、ＰＣ３の各部の動作を全体的に統括するための制御処理、他の各部との間のデータのＩ／Ｏ制御部３２を介した入出力処理、データの演算（計算）処理及びデータの記憶処理を行う。例えば認証する場合、ＣＰＵ３１は、表示部３６に表示された車載カメラシステム２へのログイン画面（図示略）に対するユーザの入力操作により、ユーザの車載カメラシステム２へのログインの可否を認証する（ユーザ認証を行う）。ユーザの入力操作は、例えばＩＤ（ユーザの識別情報）とパスワード等を入力する操作である。
【００１３】
ログインが許可される対象となるユーザに関する各種情報は、例えばメモリ３４に予め保存されており、ＣＰＵ３１は、メモリ３４に予め保存されているログインの許可対象の情報を用いて、ユーザの車載カメラシステム２へのログインの可否を認証（判断）する。なお、ログインは、ＰＣ３を介した車載カメラシステム２へのログインでもよいし、ＰＣ３に搭載された車載カメラシステム２を操作するアプリケーションへのログインでもよい。
【００１４】
Ｉ／Ｏ制御部３２は、ＣＰＵ３１とＰＣ３の各部（具体的には、通信部３３、入力部３５、表示部３６、スピーカ３７）との間でデータの入出力に関する制御を行い、ＣＰＵ３１からのデータ及びＣＰＵ３１へのデータの中継を行う。なお、Ｉ／Ｏ制御部３２は、ＣＰＵ３１と一体的に構成されてもよい。
【００１５】
通信部３３は、パトカー２２０内に設置された車載カメラシステム２との間で有線による通信を行う。
【００１６】
なお、ＰＣ３と車載カメラシステム２との間の通信に無線の使用も可能としてもよい。すなわち、無線と有線の両方を使用可能としてもよい。
【００１７】
メモリ３４は、例えばＲＡＭ（Random Access Memory）等の揮発性の半導体メモリやＲＯＭ（Read Only Memory）等の不揮発性の半導体メモリを用いて構成され、ＣＰＵ３１の動作時のワークメモリとして機能し、更に、ＣＰＵ３１を動作させるための所定のプログラム及びデータを保存している。また、メモリ３４は、車載カメラシステム２へのログインが許可されるユーザに関する各種情報を保存し、ＣＰＵ３１により車載カメラシステム２へのログインが許可（認証）されたユーザの識別情報を含むログイン情報を保存する。
【００１８】
入力部３５は、ユーザの入力操作を受け付け、それをＩ／Ｏ制御部３２を介してＣＰＵ３１に通知するためのユーザインターフェース（ＵＩ：User Interface）であり、マウス、ジョイステック等のポインティングデバイスである。なお、入力部３５は、例えば表示部３６の画面に対応して配置され、ユーザの指又はスタイラスペンによって操作が可能なタッチパネル又はタッチパッドを用いて構成されても良い。
【００１９】
表示部３６は、例えばＬＣＤ（Liquid Crystal Display）または有機ＥＬ（Electroluminescence）を用いて構成され、例えばユーザの入力操作に応じて、車載カメラシステム２へのログイン画面（図示略）を画面に表示する。また、表示部３６は、例えばユーザの入力操作に応じて、ウェアラブルカメラ１により撮像（録画）された映像データが入力された場合には、ＣＰＵ３１の指示の下で、映像データに含まれる映像を画面に表示する。
【００２０】
スピーカ３７は、例えばユーザの入力操作に応じて、ウェアラブルカメラ１により撮像（録画）された音声を含む映像データが入力された場合には、ＣＰＵ３１の指示の下で、映像データに含まれる音声を出力する。なお、表示部３６及びスピーカ３７は、ＰＣ３とは別々の構成としてもよい。
【００２１】
車載カメラシステム２の車載ビデオレコーダ２１は、ＰＣ３及びビデオカメラ２２との間で通信可能に接続され、車載カメラシステム２にログインが許可（認証）されたユーザの入力操作に応じて、ビデオカメラ２２により撮像された映像のデータファイルをＰＣ３に転送し、または車載ビデオレコーダ２１自身に保存して蓄積する。
【００２２】
ビデオカメラ２２は、例えばパトカー２２０の前方を撮像するためのフロント用カメラ（図示略）と、パトカー２２０内のバックシート（つまり、容疑者を座らせているシート）を撮像するためのバック用カメラ（図示略）とにより構成され、撮像により得られた映像のデータファイルを車載ビデオレコーダ２１に保存して蓄積させる。なお、フロントカメラには、車外の音を収音するマイク（図示略）を備え付けたり、バック用カメラにも、マイクを備え付けたりすることができ、パトカー２２０内の警察官又は容疑者の発する音声も収音（録音）可能である。
【００２３】
通信部２３は、ユーザが装着可能なウェアラブルカメラ１との間で無線による通信を行う。通信部２３は、ウェアラブルカメラ１と無線で通信を行う場合、ウェアラブルカメラ１との間でリンクを確立する処理を行う。この場合、無線通信には、例えばＩＥＥＥ８０２．１１規格のＷ−ＬＡＮ（Wireless LAN）方式が用いられる。なお、ウェアラブルカメラ１との間の通信に有線の使用も可能としてもよい。すなわち、無線と有線の両方を使用可能としてもよい。
【００２４】
図４は、ウェアラブルカメラ１の概略構成を示すブロック図である。同図において、ウェアラブルカメラ１は、録画ボタン１２、スナップショットボタン１３、Ｗ−ＬＡＮボタン１４、ＬＥＤ（Light Emitting Diode）１５〜１７、コンタクトターミナル１８、撮像部１００、ＧＰＩＯ（General Purpose Input/Output）１０１、ＲＡＭ１０２、ＲＯＭ１０３、ＳＤメモリ１０４、ＥＥＰＲＯＭ（Electrically Erasable Programmable Read-Only Memory）１０５、ＲＴＣ（Real-Time Clock）１０６、ＧＰＳ（Global Positioning System）１０７、ＣＰＵ（Central Processing Unit）１０８、通信部１０９、ＵＳＢ（Universal Serial Bus）１１０、電源部１１１及びバッテリ１１２を有している。なお、ＳＤメモリ１０４は、ウェアラブルカメラ１から着脱可能な媒体であり、具体的にはＳＤカード等であるが、ウェアラブルカメラ１本体に内蔵されていても良い。
【００２５】
ＣＰＵ１０８と通信部１０９は離間検出部１３０を構成する。また、ＣＰＵ１０８は、録画開始制御部に対応する。
【００２６】
撮像部１００は、ＣＣＤ（Charge Coupled Device）型イメージセンサやＣＭＯＳ（Complementary Metal Oxide Semiconductor）型イメージセンサ等の固体撮像素子を有しており、撮像データを出力する。ＧＰＩＯ１０１は、パラレルインタフェースであり、録画ボタン１２、スナップショットボタン１３、Ｗ−ＬＡＮボタン１４およびＬＥＤ１５〜１７とＣＰＵ１０８との間の信号の入出力を行う。
【００２７】
ＲＡＭ１０２は、ＣＰＵ１０８の動作において使用されるワークメモリである。ＲＯＭ１０３は、ＣＰＵ１０８を制御するためのプログラムを記憶する。ＳＤメモリ１０４は、撮像部１００から出力される撮像データを記憶する。ＳＤメモリ１０４は、ウェアラブルカメラ１の本体に対して取付け／取外しが可能となっている。ＥＥＰＲＯＭ１０５は、ウェアラブルカメラ１のシリアル番号を記憶する。ＲＴＣ１０６は、現在時刻情報を出力する。ＲＴＣ１０６は、専用の電池（図示略）を有し、ウェアラブルカメラ１の電源が切られていても現在時刻を刻み続ける機能を有する。
【００２８】
ＧＰＳ１０７は、地球周回軌道に配置された人工衛星から送信される電波を受信して緯度・経度・高度を測定し、その結果を位置情報として出力する。通信部１０９は、例えばＩＥＥＥ８０２．１１規格のＷ−ＬＡＮ方式を用いて車載カメラシステム２と無線通信を行う。ＵＳＢ１１０は、シリアルバスであり、ウェアラブルカメラ１と車載カメラシステム２の有線による接続を可能とする。電源部１１１は、コンタクトターミナル１８を介して供給される電源でバッテリ１１２を充電する。バッテリ１１２は、ウェアラブルカメラ１の各部を動作させる電源を供給する。
【００２９】
ＣＰＵ１０８は、ＲＯＭ１０３に記憶されたプログラムに従って動作する。ＣＰＵ１０８は、その動作においてＲＡＭ１０２を使用し、またＲＴＣ１０６より現在時刻情報を得るとともに、ＧＰＳ１０７より位置情報を得る。また、ＣＰＵ１０８は、録画ボタン１２、スナップショットボタン１３及びＷ−ＬＡＮボタン１４の各ボタンの押下の検出を行い、当該操作のあったボタンに対する処理を行う。すなわち、録画ボタン１２が押下された場合は、撮像部１００にて動画撮影を行い、撮像部１００より出力される撮像データを動画像としてＳＤメモリ１０４に保存する。また、録画ボタン１２が押下された場合はＬＥＤ１６を点灯させる。スナップショットボタン１３が押下された場合は、撮像部１００にて静止画撮影を行い、スナップショットボタン１３が押されたときに撮像部１００より出力される撮像データを静止画像としてＳＤメモリ１０４に保存する。
【００３０】
Ｗ−ＬＡＮボタン１４が押下された場合、通信部１０９を使用して車載カメラシステム２との間でＷ−ＬＡＮ通信を行う。また、Ｗ−ＬＡＮボタン１４が押下された場合はＬＥＤ１７を点灯させる。このとき、通信に関するモードがアクセスポイントモードになっていれば第１色で点灯させ、ステーションモードになっていれば第２色で点灯させる。
【００３１】
ＣＰＵ１０８は、Ｗ−ＬＡＮボタン１４が押下されたことを検知した場合、車載カメラシステム２との間で無線通信を開始し、リンクの確立後、ウェアラブルカメラ１と車載カメラシステム２との間の距離を監視する。ウェアラブルカメラ１と車載カメラシステム２との間の距離が所定の距離（例えば５ｍ）以上離間したことを検出すると録画を開始する。すなわち、撮像部１００にて動画撮影を行い、撮像部１００より出力される撮像データを動画像としてＳＤメモリ１０４に保存する。動画撮影を停止するには録画ボタン１２を長押し（例えば３秒）すればよく、ＣＰＵ１０８は録画ボタン１２が長押しされたことを検知した場合に録画を停止する。なお、録画の停止は、ウェアラブルカメラ１と車載カメラシステム２との間の距離が所定の距離未満になったときに行うようにしてもよい。
【００３２】
ウェアラブルカメラ１が車載カメラシステム２から所定の距離以上離れたかどうかを判定する方法としては、車載カメラシステム２との通信状態を監視する方法、ウェアラブルカメラ１および車載カメラシステム２の位置を監視する方法がある。前者の車載カメラシステム２との通信状態を監視する方法には、車載カメラシステム２との通信が途絶えたかどうかを判定する方法、車載カメラシステム２から送信された電波を受信したときの当該電波の電界強度の大きさを判定する方法などがある。
【００３３】
車載カメラシステム２との通信が途絶えたかどうかは、通信部１０９の出力により判定することができる。車載カメラシステム２から送信された電波を受信したときの該電波の電界強度は、例えば電波を受信したときに得られる高周波の受信信号を検波し、デジタル変換して出力する機能を通信部１０９に追加して、該機能の出力により判定することができる。ウェアラブルカメラ１および車載カメラシステム２の位置は、ＧＰＳ１０７より得られる位置情報により判定することができる。本実施の形態では、車載カメラシステム２との間の通信が途絶えたことに基づいて、ウェアラブルカメラ１と車載カメラシステム２の所定の距離以上の離間を判定するようにしている。
【００３４】
なお、ＧＰＳ１０７より得られる位置情報に基づいて、ウェアラブルカメラ１と車載カメラシステム２の離間距離を判定する場合は、ＣＰＵ１０８とＧＰＳ１０７が離間検出部１３１を構成することになる。
また、録画を自動的に開始するトリガーとして、距離の検出と組み合わせて利用可能なものとして以下の方法が考えられる。
・パトカー２２０と警察官の向きの違いを、内蔵コンパスで検知し、その結果を利用する方法。
・ウェアラブルカメラ１に気圧センサを追加し、パトカー２２０のドアを開けたときの車内の気圧変化を該気圧センサで検知し、その結果を利用する方法。
・警察官の移動速度（パトカー２２０との違い）をＧＰＳ１０７で検知し、その結果を利用する方法。
【００３５】
図５は、ウェアラブルカメラ１の動作を説明するためのフロー図である。同図において、ウェアラブルカメラ１のＣＰＵ１０８は、Ｗ−ＬＡＮボタン１４が押下されたことを検知すると、車載カメラシステム２との間でＷ−ＬＡＮ方式による無線通信を開始し、車載カメラシステム２との間でリンクを確立する処理を行う（ステップＳ１）。車載カメラシステム２との間でリンクが確立すると、ＣＰＵ１０８は、ウェアラブルカメラ１の位置が車載カメラシステム２から所定の範囲内の位置かどうか判定する（ステップＳ２）。ＣＰＵ１０８は、この判定を車載カメラシステム２との間の通信が途絶えたことに基づいて行う。すなわち、車載カメラシステム２との間で通信が途絶えていない場合はウェアラブルカメラ１の位置が車載カメラシステム２から所定の範囲内の位置にあると判定し、車載カメラシステム２との間の通信が途絶えた場合は、ウェアラブルカメラ１の位置が車載カメラシステム２から所定の範囲外の位置にあると判定する。
【００３６】
ウェアラブルカメラ１の位置が車載カメラシステム２から所定の範囲内の位置である場合、ＣＰＵ１０８は、車載カメラシステム２との間の通信が途絶えていないと判定し（ステップＳ２で「Ｙｅｓ」と判定し）、車載カメラシステム２との間の通信が途絶えるまでステップＳ２の判定を繰り返す。ウェアラブルカメラ１の位置が車載カメラシステム２から所定の範囲外の位置である場合、ＣＰＵ１０８は、車載カメラシステム２との間の通信が途絶えたと判定し（ステップＳ２で「Ｎｏ」と判定し）、録画を開始する（ステップＳ３）。すなわち、ＣＰＵ１０８は、撮像部１００より出力される撮像データを動画像としてＳＤメモリ１０４に保存する。また、ＣＰＵ１０８は、録画開始時に録画中であることを示すＬＥＤ１６を点灯させる。
【００３７】
ＣＰＵ１０８は、録画を開始した後、録画停止かどうか判定する（ステップＳ４）。ＣＰＵ１０８は、録画の停止を録画ボタン１２の長押し（例えば３秒）により判断する。ＣＰＵ１０８は、録画ボタン１２の長押しを検知すると録画停止と判定し（ステップＳ４で「Ｙｅｓ」と判定し）、録画を停止する（ステップＳ５）。ＣＰＵ１０８は、録画ボタン１２の長押しを検知できなければ、録画停止ではないと判定し（ステップＳ４で「Ｎｏ」と判定し）、録画ボタン１２の長押しを検知できるまでステップＳ４の判定を繰り返す。なお、ウェアラブルカメラ１が車載カメラシステム２から所定の範囲内に戻ったときに自動で録画を停止するようにしてもよい。すなわち、ＣＰＵ１０８は、ウェアラブルカメラ１の位置が車載カメラシステム２から所定の範囲内の位置かどうか判定し、所定の範囲内の位置である場合に録画停止を決定する。つまり、ウェアラブルカメラ１が一度車載カメラシステム２から所定の範囲外に出た後、当該範囲内に戻ってきた場合に録画を停止する。
【００３８】
ＣＰＵ１０８は、録画を停止した後、電源オフかどうか判定する（ステップＳ６）。ＣＰＵ１０８は、電源ボタンがオフされたことを検知すると電源オフと判定し（ステップＳ６で「Ｙｅｓ」と判定し）、本処理を終え、電源ボタンがオフされたことを検知しなければ、電源オフでないと判定し（ステップＳ６で「Ｎｏ」と判定し）、ステップＳ２の判定に戻る。
【００３９】
このように本実施の形態に係るウェアラブルカメラ１によれば、リンク先の車載カメラシステム２から所定の距離以上離間すると録画を自動的に開始するので、必要なときにのみ録画が可能となる。例えば、録画もれを防止することができる。また、無駄な録画を行わないことから、事件性のあるシーンについての十分な量の録画が可能となる。また、内蔵バッテリの電力を無駄にしてしまうことがないため、内蔵バッテリによる長時間使用が可能となる。特に、本実施の形態では、ウェアラブルカメラ１を警察官が使用することを想定していることから、警察署から事件現場までの間は撮影が行われず、事件現場到着時から撮影を行うことができる。
【００４０】
（実施の形態２）
図６は、本発明の実施の形態２に係るウェアラブルカメラ１Ａの動作を説明するためのフロー図である。なお、ウェアラブルカメラ１Ａは、ＲＯＭ１０３に記憶されたプログラムに一部違いがある以外、上述したウェアラブルカメラ１と同様の構成であるので、動作説明において必要な場合は図１、図３および図４を援用することとする。
【００４１】
図６において、ウェアラブルカメラ１ＡのＣＰＵ１０８は、Ｗ−ＬＡＮボタン１４が押下されたことを検知すると、車載カメラシステム２との間でＷ−ＬＡＮ方式による無線通信を開始し、車載カメラシステム２との間でリンクを確立する処理を行う（ステップＳ１０）。車載カメラシステム２との間でリンクが確立すると、ＣＰＵ１０８は、パトカー２２０が停止したかどうか判定する（ステップＳ１１）。ＧＰＳ１０７より得られる位置情報により移動速度を取得できるので、それを利用することでパトカー２２０が停止したかどうかを判定する。
【００４２】
ＣＰＵ１０８は、ＧＰＳ１０７より得られる位置情報により移動速度が得られた場合、パトカー２２０が停止していないと判定し（ステップＳ１１で「Ｎｏ」と判定し）、移動速度が得られなくなるまでステップＳ１１の判定を繰り返す。ＣＰＵ１０８は、移動速度が得られなくなってパトカー２２０が停止したと判定すると（ステップＳ１１で「Ｙｅｓ」と判定すると）、録画を開始する（ステップＳ１２）。すなわち、ＣＰＵ１０８は、撮像部１００より出力される撮像データを動画像としてＳＤメモリ１０４に保存する。また、ＣＰＵ１０８は、録画開始時に録画中であることを示すＬＥＤ１６を点灯させる。
【００４３】
ＣＰＵ１０８は、録画を開始した後、録画停止かどうか判定する（ステップＳ１３）。ＣＰＵ１０８は、録画の停止を録画ボタン１２の長押し（例えば３秒）により判断する。ＣＰＵ１０８は、録画ボタン１２の長押しを検知すると、録画停止と判定し（ステップＳ１３で「Ｙｅｓ」と判定し）、録画を停止する（ステップＳ１４）。ＣＰＵ１０８は、録画ボタン１２の長押しを検知できなければ、録画停止ではないと判定し（ステップＳ１３で「Ｎｏ」と判定し）、録画ボタン１２の長押しを検知できるまでステップＳ１３の判定を繰り返す。なお、パトカー２２０が移動を開始したときに自動で録画を停止するようにしてもよい。すなわち、ＣＰＵ１０８は、ＧＰＳ１０７より得られる位置情報により移動速度が得られるかどうか判定し、移動速度が得られれば録画停止を決定する。パトカー２２０の停止は、パトカー２２０のエンジンの動作で判定するようにしてもよい。
【００４４】
ＣＰＵ１０８は、録画を停止した後、電源オフかどうか判定する（ステップＳ１５）。ＣＰＵ１０８は、電源ボタンがオフされたことを検知すると、電源オフと判定し（ステップＳ１５で「Ｙｅｓ」と判定し）、本処理を終え、電源ボタンがオフされたことを検知しなければ電源オフでないと判定し（ステップＳ１５で「Ｎｏ」と判定し）、ステップＳ１１の判定に戻る。
【００４５】
このように本実施の形態に係るウェアラブルカメラ１Ａによれば、リンク先の車載カメラシステム２を搭載したパトカー２２０が停止したときに録画を自動的に開始するので、必要なときにのみ録画が可能となる。例えば、録画もれを防止することができる。また、無駄な録画を行わないことから、事件性のあるシーンについての十分な量の録画が可能となるとともに内蔵バッテリの長時間使用が可能となる。特に、本実施の形態では、ウェアラブルカメラ１Ａを警察官が使用することを想定していることから、警察署から事件現場までの間は撮影が行われず、事件現場到着時から撮影を行うことができる。
【産業上の利用可能性】
【００４６】
本発明は、必要なときにのみ録画できるといった効果を有し、ウェアラブルカメラなど車載カメラシステムと接続可能なカメラへの適用が可能である。
【符号の説明】
【００４７】
１，１Ａ  ウェアラブルカメラ
２  車載カメラシステム
３  車載カメラシステム操作用ＰＣ
１２  録画ボタン
１３  スナップショットボタン
１４  Ｗ−ＬＡＮボタン
１５〜１７  ＬＥＤ
１８  コンタクトターミナル
２１  車載ビデオレコーダ
２２  ビデオカメラ
２３  通信部
３１  ＣＰＵ
３２  Ｉ／Ｏ制御部
３３  通信部
３４  メモリ
３５  入力部
３６  表示部
３７  スピーカ
１００  撮像部
１０１  ＧＰＩＯ
１０２  ＲＡＭ
１０３  ＲＯＭ
１０４  ＳＤメモリ
１０５  ＥＥＰＲＯＭ
１０６  ＲＴＣ
１０７  ＧＰＳ
１０８  ＣＰＵ
１０９  通信部
１１０  ＵＳＢ
１１１  電源部
１１２  バッテリ
１３０，１３１  離間検出部
２００  カメラシステム
２２０  パトカー
【要約】
【課題】必要なときにのみ録画が可能なウェアラブルカメラを提供する。
【解決手段】ウェアラブルカメラ１は、自身とリンクされる車載カメラシステム２から所定の距離以上離間したことを検出する離間検出部１３０と、離間検出部１３０の検出出力に応じて録画動作を開始させる録画開始制御部（ＣＰＵ）１０８とを備える。離間検出部１３０は、ウェアラブルカメラ１と車載カメラシステム２との間の通信が途絶えたことに基づいて、車載カメラシステム２から所定の距離以上離間したことを検出する。
【選択図】図４【図１】
0005849196.tif 000002
【図２】
0005849196.tif 000003
【図３】
0005849196.tif 000004
【図４】
0005849196.tif 000005
【図５】
0005849196.tif 000006
【図６】
0005849196.tif 000007